(57)【要約】【課題】目的地到着日時や滞在期間に基づいて旅行商品を検索することができる旅行商品検索システムを提供する。【解決手段】旅行検索システム１００は、検索の対象となる期間である検索対象期間が記憶された検索対象期間ＤＢ１３と、検索条件を受信する検索アクション受信部７と、検索対象期間ＤＢ１３から検索対象期間を取得する検索対象期間取得部８と、検索条件である希望日を基準とした検索対象期間に含まれた日を出発地出発日とする旅行商品を検索する検索部９とが備えられ、希望日までに目的地に到着することが可能な旅行商品が検索される。【選択図】図２
2019082898.tif 000002
【特許請求の範囲】
【請求項１】
旅行商品の購入を希望する購入者と、旅行商品を提供する提供者との予約購入取引を、ネットワークを通じて仲介する旅行商品検索システムにおいて、
往路の選定において購入者によって入力された検索条件に含まれた希望日と異なる時または日を出発地出発日時とし、かつ、前記希望日以前を目的地到着日時とする旅行商品を検索する仲介部が備えられた、
ことを特徴とする旅行商品検索システム。
【請求項２】
前記仲介部が、目的地到着日が互いに異なる複数の旅行商品を検索する、
ことを特徴とする請求項１に記載された旅行商品検索システム。
【請求項３】
前記仲介部が、前記希望日を出発地出発日とする旅行商品を除いて検索する、
ことを特徴とする請求項１または請求項２に記載された旅行商品検索システム。
【請求項４】
出発地と目的地との組み合わせ毎に、検索の対象となる期間である検索対象期間が関連付けられた検索対象期間情報が予め記憶され、
前記仲介部が、前記検索条件に含まれた出発地と目的地との組み合わせに応じて、前記希望日を基準とする前記検索対象期間を、出発地出発日とする旅行商品を検索する、
ことを特徴とする請求項１から請求項３のいずれか１項に記載された旅行商品検索システム。
【請求項５】
前記検索条件を受信する検索アクション受信部と、
前記検索条件に含まれた出発地と目的地との組み合わせに応じて、前記検索対象期間を前記検索対象期間情報から取得する検索対象期間取得部と、
前記希望日を基準とする前記検索対象期間を出発地出発日とする旅行商品を検索する検索部と、が備えられた、
ことを特徴とする請求項４に記載された旅行商品検索システム。
【請求項６】
前記仲介部が、前記検索条件に含まれた出発地と目的地との組み合わせに応じて、前記希望日を基準とする検索対象期間を算出し、この検索対象期間を出発地出発日とする旅行商品を検索する、
ことを特徴とする請求項１から請求項３のいずれか１項に記載された旅行商品検索システム。
【請求項７】
前記仲介部において、
前記希望日を目的地到着日とする検索と、前記希望日を出発地出発日とする検索とが選択可能である、
ことを特徴とする請求項１から請求項６のいずれか１項に記載された旅行商品検索システム。
【請求項８】
旅行商品の購入を希望する購入者と、旅行商品を提供する提供者との予約購入取引を、ネットワークを通じて仲介する旅行商品検索方法において、
往路の選定において購入者によって入力される希望日、出発地および目的地を、検索条件として受信する検索アクション受信手順と、
出発地と目的地との組み合わせ毎に、検索の対象となる期間である検索対象期間が関連付けられて予め記憶された検索対象期間情報から、前記検索条件に含まれた出発地と目的地との組み合わせに応じて、前記検索対象期間を取得する検索対象期間取得手順と、
前記希望日を基準とする前記検索対象期間を出発地出発日とする旅行商品を検索する検索手順部と、を経る、
ことを特徴とする旅行商品検索方法。
【請求項９】
旅行商品の購入を希望する購入者と、旅行商品を提供する提供者との予約購入取引を、コンピュータを介してネットワークを通じて仲介する旅行商品検索プログラムにおいて、
往路の選定において購入者によって入力された検索条件に含まれた希望日と異なる時または日を出発地出発日時とし、かつ、前記希望日以前を目的地到着日時とする旅行商品を検索する仲介手順を、コンピュータに実行させる、
ことを特徴とする旅行商品検索プログラム。
【請求項１０】
請求項９に記載された旅行商品検索プログラムが記録された、
ことを特徴とするコンピュータで読み取り可能な記録媒体。
【発明の詳細な説明】
【技術分野】
【０００１】
本発明は、旅行商品を検索する際に用いられる旅行商品検索システム、旅行商品検索方法、旅行商品検索プログラムおよび記録媒体に関するものである。
【背景技術】
【０００２】
従来、旅行検索サイトでは、ユーザーが希望する条件（出発地、目的地、出発地出発日、目的地（現地）出発日）を入力することで、入力された条件に合致したものが検索されて表示されるため、ユーザーは、その中から希望に合った航空券や宿泊施設などの旅行商品を予約購入することができる。すなわち、旅行検索サイトによれば、例えば、目的地がホノルルであり、２０１７年８月１日に日本を出発し、２０１７年８月６日にホノルルを出発する旅行商品を検索することができ、複数の旅行商品の中から、さらに出発時刻や目的地出発時刻を絞り込むこともできる。その中でユーザーは時間や料金を比較し、旅行商品を選択する。このようなシステムとして、例えば、下記特許文献１に記載された仲介販売システムなどが存在する。
【先行技術文献】
【特許文献】
【０００３】
【特許文献１】特開２００２−１１７２５９号公報
【発明の概要】
【発明が解決しようとする課題】
【０００４】
しかし、ユーザーが目的地での予定を勘案し、例えば、２０１７年８月２日のＡＭ１０時にホノルルに到着することを希望した場合、ユーザーは、目的地到着時刻から逆算して出発日を予測したうえで、出発日を入力する必要がある。したがって、時差や、出発時刻から目的地到着時刻までの移動時間を考慮し、ユーザーは、例えば２０１７年８月２日を出発日として入力し、検索結果の中から目的地到着時刻がＡＭ１０時よりも前の旅行商品を探すことになる。ＡＭ１０時に間に合う旅行商品がなかった場合や、満席や予算の都合から希望の旅行商品が見つからなかった場合、ユーザーは、例えば、前日の２０１７年８月１日、場合によっては更に前々日の２０１７年７月３１日を再度出発日として入力し、再び検索結果の中から目的地到着時刻がＡＭ１０時より前の旅行商品を探すことになる。ここで、特許文献１に記載された仲介販売システムによれば、出発日を特定したうえで目的地到着時刻を絞り込むことができるが、出発日を特定することが前提であるため、入力された出発日のなかでの検索結果しか出力されない。すなわち、従来の技術では、目的地到着日時や滞在期間に基づいた検索をすることができない。
【０００５】
本発明は上記の実情に鑑みて提案されたものである。すなわち、目的地到着日時や滞在期間に基づいて旅行商品を検索することができる旅行商品検索システム、旅行商品検索方法、旅行商品検索プログラムおよび記録媒体の提供を目的とする。
【課題を解決するための手段】
【０００６】
一般的に、旅行検索サイトでは、往路の選定のとき購入者によって入力されるのは、出発地の出発日であるが、本発明では、購入者によって入力される日が「希望日」と定義され、この希望日までに目的地に到着することができる旅行商品が検索される。
【０００７】
すなわち、本発明に係る旅行商品検索システムは、旅行商品の購入を希望する購入者と、旅行商品を提供する提供者との予約購入取引を、ネットワークを通じて仲介する旅行商品検索システムにおいて、往路の選定において購入者によって入力された検索条件に含まれた希望日と異なる時または日を出発地出発日時とし、かつ、前記希望日以前を目的地到着日時とする旅行商品を検索する仲介部が備えられた、ことを特徴とする。
【０００８】
本発明に係る旅行商品検索システムは、前記仲介部が、目的地到着日が互いに異なる複数の旅行商品を検索する、ことを特徴とする。
【０００９】
本発明に係る旅行商品検索システムは、前記仲介部が、前記希望日を出発地出発日とする旅行商品を除いて検索する、ことを特徴とする。
【００１０】
本発明に係る旅行商品検索システムは、出発地と目的地との組み合わせ毎に、検索の対象となる期間である検索対象期間が関連付けられた検索対象期間情報が予め記憶され、前記仲介部が、前記検索条件に含まれた出発地と目的地との組み合わせに応じて、前記希望日を基準とする前記検索対象期間を、出発地出発日とする旅行商品を検索する、ことを特徴とする。
【００１１】
本発明に係る旅行商品検索システムは、前記検索条件を受信する検索アクション受信部と、前記検索条件に含まれた出発地と目的地との組み合わせに応じて、前記検索対象期間を前記検索対象期間情報から取得する検索対象期間取得部と、前記希望日を基準とする前記検索対象期間を出発地出発日とする旅行商品を検索する検索部と、が備えられた、ことを特徴とする。
【００１２】
本発明に係る旅行商品検索システムは、前記仲介部が、前記検索条件に含まれた出発地と目的地との組み合わせに応じて、前記希望日を基準とする検索対象期間を算出し、この検索対象期間を出発地出発日とする旅行商品を検索する、ことを特徴とする。
【００１３】
本発明に係る旅行商品検索システムは、前記仲介部において、前記希望日を目的地到着日とする検索と、前記希望日を出発地出発日とする検索とが選択可能である、ことを特徴とする。
【００１４】
本発明に係る旅行商品検索方法は、旅行商品の購入を希望する購入者と、旅行商品を提供する提供者との予約購入取引を、ネットワークを通じて仲介する旅行商品検索方法において、往路の選定において購入者によって入力される希望日、出発地および目的地を、検索条件として受信する検索アクション受信手順と、出発地と目的地との組み合わせ毎に、検索の対象となる期間である検索対象期間が関連付けられて予め記憶された検索対象期間情報から、前記検索条件に含まれた出発地と目的地との組み合わせに応じて、前記検索対象期間を取得する検索対象期間取得手順と、前記希望日を基準とする前記検索対象期間を出発地出発日とする旅行商品を検索する検索手順部と、を経る、ことを特徴とする。
【００１５】
本発明に係る旅行商品検索プログラムは、旅行商品の購入を希望する購入者と、旅行商品を提供する提供者との予約購入取引を、コンピュータを介してネットワークを通じて仲介する旅行商品検索プログラムにおいて、往路の選定において購入者によって入力された検索条件に含まれた希望日と異なる時または日を出発地出発日時とし、かつ、前記希望日以前を目的地到着日時とする旅行商品を検索する仲介手順を、コンピュータに実行させる、ことを特徴とする。
【００１６】
本発明に係る記録媒体は、旅行商品検索プログラムが記録された、ことを特徴とする。
【発明の効果】
【００１７】
本発明に係る旅行商品検索システムは、往路の選定において購入者によって入力された検索条件に含まれた希望日と異なる時または日を出発地出発日時とし、かつ、希望日以前を目的地到着日時とする旅行商品を検索する仲介部が備えられている。すなわち、本発明では、購入者によって入力された希望日が、目的地到着日として判断され、希望日までに目的地に到着することが可能な旅行商品が検索される。そのため、希望日と異なる時または日を出発地出発日時とする旅行商品が検索される。したがって、目的地到着日時や滞在期間に基づいた検索をすることができる。
【００１８】
なお、時差を考慮すれば、従来のシステムにおいても、購入者によって入力された日以前に目的地に到着する旅行商品が検索されるが、この運用は時差の影響であって、従来のシステムでは、購入者によって入力された日を出発地出発日として旅行商品が検索されている。したがって、本発明と従来のシステムとは異なっている。
【００１９】
本発明に係る旅行商品検索システムは、仲介部が、目的地到着日が互いに異なる複数の旅行商品を検索するものである。すなわち、例え希望日までに目的地に到着することが可能な旅行商品が検索された場合であっても、満席や予算の都合から、希望の旅行商品が見つからなかった場合を考慮し、別の日を目的地到着日とする旅行商品がさらに検索される。したがって、柔軟に、目的地到着日や滞在期間に基づいた検索をすることができる。
【００２０】
本発明に係る旅行商品検索システムは、仲介部が、希望日を出発地出発日とする旅行商品を除いて検索するものである。すなわち、例えば、購入者が、遠方の外国に渡航する際、時差などを考慮すれば、希望日に出発地を出発しても希望日に目的地に到着することができない場合がある。そのため、予め希望日を除いた日を出発地出発日とする旅行品が検索される。したがって、効率よく目的地到着日や滞在期間に基づいた検索をすることができる。
【００２１】
本発明に係る旅行商品検索システムは、出発地と目的地との組み合わせ毎に、検索の対象となる期間である検索対象期間が関連付けられた検索対象期間情報が予め記憶され、仲介部が、検索条件に含まれた出発地と目的地との組み合わせに応じて、希望日を基準とする検索対象期間を、出発地出発日とする旅行商品を検索するものである。検索対象期間は、例えば、当日、当日および前日、前日および前々日などである。検索対象期間が「当日および前日」であれば、希望日およびその前日を出発地出発日とする旅行商品が検索される。したがって、柔軟に、目的地到着日や滞在期間に基づいた検索をすることができる。
【００２２】
本発明に係る旅行商品検索システムでは、上記した構成が、検索条件を受信する検索アクション受信部と、検索条件に含まれた出発地と目的地との組み合わせに応じて、検索対象期間を検索対象期間情報から取得する検索対象期間取得部と、希望日を基準とする検索対象期間を出発地出発日とする旅行商品を検索する検索部とで実現される。
【００２３】
本発明に係る旅行商品検索システムは、仲介部が、検索条件に含まれた出発地と目的地との組み合わせに応じて、希望日を基準とする検索対象期間を算出し、この検索対象期間を出発地出発日とする旅行商品を検索するものである。したがって、柔軟に、目的地到着日旅や滞在期間に基づいた検索をすることができる。
【００２４】
本発明に係る旅行商品検索システムは、仲介部において、希望日を目的地到着日とする検索と、希望日を出発地出発日とする検索とが選択可能である。すなわち、希望日までに目的地に到着することが可能な旅行商品の検索に加えて、希望日に出発して目的地に到着することが可能な旅行商品の検索も可能である。したがって、購入者の用途に応じて二種類の検索を実行することができる。
【００２５】
本発明に係る旅行商品検索方法、旅行商品検索プログラムおよび記録媒体によれば、上記した旅行検索システムと同様に、目的地到着日時や滞在期間に基づいた検索をすることができる。
【図面の簡単な説明】
【００２６】
【図１】本発明の実施形態に係る旅行商品検索システムのハードウェア概略構成図である。
【図２】本発明の実施形態に係る旅行商品検索システムによる処理の全体の流れが示された概略フロー図である。
【図３】本発明の実施形態に係る旅行商品検索システムに備えられた検索対象期間情報が示された図である。
【図４】本発明の実施形態に係る旅行商品検索システムによる処理の一部を説明するための説明図である。
【図５】本発明の実施形態に係る旅行商品検索システムによる処理の一部を説明するためのフロー図である。
【発明を実施するための形態】
【００２７】
以下に、本発明の実施形態に係る旅行商品検索システムを図面に基づいて説明する。図１は、旅行商品検索システム１００のハードウェアの概略構成が示されている。
【００２８】
図１に示されているとおり、旅行商品検索システム１００は、少なくとも記憶部２、入力部６、出力部１１および制御部（図示省略）などが備えられている。記憶部２は、ＲＯＭ３、ＲＡＭ４、ＨＤＤ５などから構成される。入力部６は、例えば、キーボード、マウス、タッチパネルなどから構成され、また、出力部１１は、例えば、液晶ディスプレイやプリンターなどから構成される。制御部は、ＣＰＵ１などにより実現され、ＲＯＭ３に格納されたプログラムに従って、ＣＰＵ１に実行させるＯＳ（Ｏｐｅｒａｔｉｎｇ  Ｓｙｓｔｅｍ）のプログラムやアプリケーションプログラムの一部が格納されたＲＡＭ４を使用して、検索アクション受信部７、検索対象期間取得部８、検索部９および返却情報照会部１０から構成された仲介部１２を制御する。
【００２９】
旅行商品検索システム１００は、ハードウェア構成、ＤＳＰ（Ｄｉｇｉｔａｌ  Ｓｉｇｎａｌ  Ｐｒｏｃｅｓｓｏｒ）、ＭＰＵ（Ｍｉｃｒｏ  Ｐｒｏｃｅｓｓｉｎｇ  Ｕｎｉｔ）、ソフトウェアによって実現することが可能である。例えば、ソフトウェアによって実現する場合、実際にはコンピュータのＣＰＵ１、あるいはＭＰＵ、ＲＯＭ３、ＲＡＭ４などを備えて構成し、ＲＯＭ３やＲＡＭ４に記憶されたプログラムが動作することによって実現できる。
【００３０】
したがって、コンピュータが各部７から１０の機能を、仲介手順（検索アクション受信手順、検索対象期間取得手順、検索手順および返却情報照会手順）として果たすように動作させる旅行商品検索プログラムを、例えばＣＤ−ＲＯＭなどの記録媒体に記録し、コンピュータに読み込ませることによって実現できる。旅行商品検索プログラムを記録する記録媒体としては、ＣＤ−ＲＯＭ以外に、例えばフレキシブルディスク、光ディスクなどを用いることができる。
【００３１】
旅行商品検索システム１００は、ＡＳＰ（Ａｐｐｌｉｃａｔｉｏｎ  Ｓｅｒｖｉｃｅ  Ｐｒｏｖｉｄｅｒ）として機能させてもよく、旅行商品検索プログラムをインターネットなどのネットワークを介してコンピュータにダウンロードすることによっても実現できる。さらに、これらのハードウェア、ソフトウェア資源を、ネットワークを介してアクセス可能なクラウドなどの態様で提供することもできる。
【００３２】
次に、旅行商品検索システム１００の構成および処理フローを図面に基づいて説明する。図２は、本実施形態に係る旅行商品検索システム１００の構成および処理フローの概略が示されている。
【００３３】
図２において、旅行商品検索システム１００は、旅行商品の購入を希望する購入者であるユーザーと、旅行商品などを提供する提供者としてのサプライヤとの間で、旅行商品の予約や購入の取り引きを、通信ネットワーク（図示省略）を通じて仲介するものである。具体的には、旅行商品検索システム１００は、Ｗｅｂ上で予約サイトを構築するサーバーシステムであり、ユーザーによって入力された検索条件に基づいて、ユーザーが所望する旅行商品を検索し、その旅行商品をユーザーに照会する。したがって、通信ネットワークには、ユーザーの端末やサプライヤの端末が接続されている。旅行商品は、主に航空機を用いるものを含み、例えば、パッケージツアー、手配旅行、およびダイナミックパッケージツアー（実質的に同一の商品を含む）などが含まれ、また、同一のプラットフォームにおいて航空券および宿泊施設を個別に予約・購入できるサービスなど、あらゆるものが含まれる。なお、旅行に関するすべての商品形態を、上記したパッケージツアーなどに当てはめて明確に区分けすることは困難であるため、これらの呼び名は、旅行商品を一義的に限定して解釈するものではない。
【００３４】
通信ネットワークは、例えばインターネット、専用線により接続されたネットワーク、企業内ＬＡＮ、企業間ＬＡＮ、ＷＡＮなどである。通信回線の形態は、例えば有線通信、無線通信、衛星通信などである。
【００３５】
ユーザー端末１４およびサプライヤ端末１５は、例えばパーソナルコンピュータ、ワークステーション、タブレット端末、スマートフォン、通信ネットワークに接続可能なテレビ端末、ゲーム端末などである。各端末１４，１５は、例えばＡＰＩ（Ａｐｐｌｉｃａｔｉｏｎ  Ｐｒｏｇｒａｍｍｉｎｇ  Ｉｎｔｅｒｆａｃｅ）などが構築されている。
【００３６】
サプライヤ端末１５は、例えば、ダイナミックパッケージツアーなどの旅行商品を提供する提供者（例えば、ツアーオペレーター、ランドオペレーター、ホールセラーなどの施設予約仲介業者）である旅行会社端末、手配旅行などにおいて航空券を提供する航空会社端末、手配旅行などにおいてホテル・旅館などの宿泊施設を提供する宿泊施設提供会社端末などである。また、通信ネットワークは、航空機の空席などが照会されるＧＤＳ（Ｇｌｏｂａｌ  Ｄｉｓｔｒｉｂｕｔｉｏｎ  Ｓｙｓｔｅｍ）１６が接続されている。
【００３７】
ＧＤＳ１６は、例えば、航空機に関し、出発地（出発空港）、目的地（到着空港）、区間（出発地および目的地）、航空機の出発日（搭乗日）、出発時刻、到着時刻、席数、便番号（便名）、予約クラス、航空会社、大人・子供・幼児区分、滞在の有無、航空機に関する料金の情報（運賃、空港使用料、空港税、空港保険料、燃料サーチャージ）などが記憶されている。
【００３８】
旅行商品検索システム１００は、検索の対象となる期間である検索対象期間が記憶された検索対象期間情報としての検索対象期間データベース（Ｄａｔａｂａｓｅ：ＤＢ）１３と、検索条件を受信する検索アクション受信部７と、検索対象期間ＤＢ１３から検索対象期間を取得する検索対象期間取得部８と、この検索対象期間取得部８で取得された検索対象期間に含まれた日を出発地出発日とする旅行商品を検索する検索部９と、この検索部９による検索の結果として返却された情報を照会する返却情報照会部１０とが備えられている。なお、旅行商品検索システム１００は、各部７，８，９，１０が仲介部１２として単一のサーバーに実装されて構成されるか、各部７，８，９，１０がそれぞれ単一のサーバーに実装されたことで旅行商品検索システム１００が複数のサーバーで構成されるかは任意である。
【００３９】
検索アクション受信部７で受信される検索条件は、旅行商品の種類によって様々であるが、例えば、海外を対象としたダイナミックパッケージツアーであれば、出発地、目的地、日程、座席クラス、旅行人数、宿泊部屋数などである。ここで、日程は、往路の選定および復路の選定があり、往路の選定では、希望日が入力される。希望日は、ユーザーが希望する目的地到着日である。すなわち、本実施形態では、この希望日までに目的地に到着することができる旅行商品が検索される。一方、復路の選定では、目的地出発日が入力される。なお、旅行商品において、仮に出発時刻や出発時間帯が予め決定されている場合は、検索条件の日程において、時刻を含めた希望日時が入力され、この希望日時までに目的地に到着することができる旅行商品が検索される。
【００４０】
ここで、希望日を目的地到着日として検索するか、希望日を出発地出発日として検索するかは、ユーザーによって選択される。例えば、旅行商品検索システム１００のＷｅｂページ上に構築されたチェックボックス、ラジオボタンまたはプルダウンメニューなどによって、希望日までに目的地に到着する旅行商品を検索する設定とするか、希望日に出発地を出発する旅行商品を検索する設定とするかが選択される。
【００４１】
検索対象期間取得部８は、希望日までに目的地に到着する旅行商品を検索するために、検索条件に含まれた出発地と目的地との組み合わせに応じて、検索対象期間ＤＢ１３から検索対象期間を取得する。すなわち、仮に、ユーザーが遠方の外国に渡航する場合、希望日までに目的地に到着するためには、希望日と異なる時または日を出発地出発日時とし、かつ、希望日以前を目的地到着日時とする旅行商品を検索する必要がある。ここで、希望日と異なる時または日が、希望日を基準としてどれだけの期間であるかを示すのが、検索対象期間である。検索対象期間は、出発地と目的地との組み合わせに基づいて、出発地と目的地との渡航距離、渡航時間、日付変更線を超える回数や時差、ダイレクト、トランジットまたはトランスファーの有無、その区間を運行する旅行商品の数、シーズン毎の旅行商品の増減などを考慮して決定される。したがって、検索対象期間は、希望日前または希望日以前の場合もあれば、希望日後または希望日以後の場合もある。この検索対象期間は検索対象期間ＤＢ１３に格納されている。なお、出発地と目的地との組み合わせに応じて、検索の都度、検索対象期間が算出される構成であってもよい。
【００４２】
ここで、検索対象期間ＤＢ１３を図面に基づいて説明する。図３は、検索対象期間ＤＢ１３の一例が示されている。なお、図３に示されているのは、検索対象期間ＤＢ１３の一部のみである。また、検索対象期間ＤＢ１３は、例えばテーブルなどで構築されていてもよい。
【００４３】
図３に示されているとおり、検索対象期間ＤＢ１３は、出発地と目的地との組み合わせ毎に、検索対象期間が関連付けられたものであり、予め記憶部２記憶されている。詳説すれば、検索対象期間ＤＢ１３は、出発地と目的地とで決定される「区間」のフィールドａ１、および、この区間ごとに決められた「検索対象期間」のフィールドａ２が構築されている。「区間」のフィールドａ１は、出発地と目的地との様々な組み合わせが格納されている。例えば、出発地が都市Ｔであり、目的地が都市Ａであれば、「区間」のフィールドａ１は「都市Ｔ−都市Ａ」となる。一方で、「検索対象期間」のフィールドａ２は、検索対象期間として、「当日」「当日および前日」「前日および前々日」「当日および翌日」「翌日」などが格納されている。なお、例えば、「０日」「１日前」「２日前」「１日後」のほか、「１０時間前」「３６時間前」「４８時間前」「２０時間後」など、表現は任意である。
【００４４】
例えば、レコードｂ１は、都市Ｔから都市Ａまでを運行する旅行商品に対して、希望日当日のみを出発地出発日とする旅行商品を検索することを示している。レコードｂ２は、都市Ｔから都市Ｂまでを運行する旅行商品に対して、希望日当日および希望日前日を出発地出発日とする旅行商品を検索することを示している。レコードｂ３は、都市Ｏから都市Ｃまでを運行する旅行商品に対して、希望日当日および希望日前日を出発地出発日とする旅行商品を検索することを示している。レコードｂ４は、都市Ｔから都市Ｄまでを運行する旅行商品に対して、希望日当日を除いて希望日前日および希望日前々日を出発地出発日とする旅行商品を検索することを示している。レコードｂ５は、都市Ａから都市Ｅまでを運行する旅行商品に対して、希望日当日および希望日翌日を出発地出発日とする旅行商品を検索することを示している。レコードｂ６は、都市Ｋから都市Ｆまでを運行する旅行商品に対して、希望日当日を除いて希望日翌日を出発地出発日とする旅行商品を検索することを示している。
【００４５】
検索部９は、検索対象期間に含まれた日を出発地出発日とする旅行商品を検索するために、連携システムとして、例えば、ＡＰＩを呼び出して実行する。すなわち、検索条件および検索対象期間の組み合わせに基づいて、海外ダイナミックパッケージツアーＡＰＩ１７が実行され、サプライヤ端末１５から、所望の旅行商品が返却される。なお、パッケージツアー、航空券および宿泊施設の検索も同様に、ＡＰＩなどの連携システム（図示省略）が実行され、また、ＧＤＳ１６から適宜航空機の空席が照会される。
【００４６】
返却情報照会部１０は、キャッシュに記憶されて保存された旅行商品に、目的地到着時刻を付け合わせる。
【００４７】
上記のとおり、旅行商品検索システム１００が構成されている。次に、旅行商品検索システム１００による処理を説明する。図４は、検索対象期間取得部８における処理の一例が示されている。図５は、検索部９における海外ダイナミックパッケージツアーＡＰＩ１７による処理の流れが示されている。なお、以下では、特に、時差によって出発地出発日と目的地到着日とが異なることが多い海外を対象としたダイナミックパッケージツアーを例としている。
【００４８】
図２に示されているとおり、ステップＳ１では、ユーザーは、ユーザー端末１４において、ブラウザに表示された旅行商品検索システム１００のＷｅｂページ上で、希望する検索条件を入力する。検索条件は、出発地、目的地、日程（希望日、目的地出発日）、座席クラス、旅行人数、宿泊部屋数などが含まれる。ユーザーが、Ｗｅｂページ上で検索実行ボタンをクリックすると、ユーザー端末１４から旅行商品検索システム１００に向けて検索条件が送信され、旅行商品検索システム１００は、希望日までに目的地に到着することができる旅行商品を検索する。
【００４９】
ステップＳ２では、検索アクション受信部７が、ユーザー端末１４からの検索アクションを受信する。検索条件は、記憶部２に適宜記憶される。ステップＳ３では、検索対象期間取得部８が、検索条件に含まれた出発地と目的地との組み合わせに応じて、検索対象期間ＤＢ１３から検索対象期間を取得する。
【００５０】
詳説すれば、例えば、検索条件において、出発地が東京、目的地がソウル、希望日が２０１７年８月１日、目的地出発日が２０１７年８月４日である場合、図４に示されているとおり、区間が「東京−ソウル」である場合の検索対象期間は「当日」である。したがって、検索対象期間取得部８によって、出発地出発日は、希望日当日である２０１７年８月１日となる。その結果、目的地到着日は、２０１７年８月１日である。なお、目的地出発日は２０１７年８月４日のままである。
【００５１】
また、出発地が東京、目的地がシドニー、希望日が２０１７年８月１０日、目的地出発日が２０１７年８月１５日である場合、図４に示されているとおり、区間が「東京−シドニー」である場合の検索対象期間は「当日および前日」である。したがって、検索対象期間取得部８によって、出発地出発日は、希望日当日である２０１７年８月１０日、および、希望日の前日である２０１７年８月９日となる。その結果、目的地到着日は、２０１７年８月９日から８月１０日である。なお、目的地出発日は２０１７年８月１５日のままである。
【００５２】
また、出発地が大阪、目的地がパリ、希望日が２０１７年８月２日、目的地出発日が２０１７年８月１０日である場合、図４に示されているとおり、区間が「大阪−パリ」である場合の検索対象期間は「当日および前日」である。したがって、検索対象期間取得部８によって、出発地出発日は、希望日当日である２０１７年８月２日、および、希望日の前日である２０１７年８月１日となる。その結果、目的地到着日は、２０１７年８月１日から８月２日である。なお、目的地出発日は２０１７年８月１０日のままである。
【００５３】
また、出発地が東京、目的地がサンパウロ、希望日が２０１７年８月５日、目的地出発日が２０１７年８月１５日である場合、図４に示されているとおり、区間が「東京−サンパウロ」である場合の検索対象期間は「前日および前々日」である。したがって、検索対象期間取得部８によって、出発地出発日は、希望日の前日である２０１７年８月４日、および、希望日の前々日である２０１７年８月３日となる。その結果、目的地到着日は、２０１７年８月４日から８月５日である。なお、目的地出発日は２０１７年８月１５日のままである。
【００５４】
また、出発地がオークランド、目的地がホノルル、希望日が２０１７年８月５日、目的地出発日が２０１７年８月１５日である場合、図４に示されているとおり、区間が「オークランド−ホノルル」である場合の検索対象期間は「当日および翌日」である。したがって、検索対象期間取得部８によって、出発地出発日は、希望日当日である２０１７年８月５日、および、希望日の翌日である２０１７年８月６日となる。その結果、目的地到着日は、２０１７年８月５日である。なお、目的地出発日は２０１７年８月１５日のままである。
【００５５】
図２に示されているとおり、ステップＳ４では、検索部９は、検索条件および検索対象期間の組み合わせに基づいて、海外ダイナミックパッケージツアーＡＰＩ１７を呼び出す。ステップＳ５では、検索部９が、海外ダイナミックパッケージツアーＡＰＩ１７を実行する。
【００５６】
図５に示されているとおり、海外ダイナミックパッケージツアーＡＰＩ１７では、ステップＳ５０１において、検索条件である「旅行人数」「希望日（検索対象期間）」「目的地出発日」「出発地」「目的地」が、サプライヤ端末１５に記憶された「旅行人数」「出発地出発日」「目的地出発日」「出発地」「目的地」と一致する旅行商品が取得される。すなわち、検索対象期間取得部８で取得された検索対象期間に含まれた日を出発地出発日とする旅行商品が検索される。ステップＳ５０２では、ステップＳ５０１で取得された旅行商品が記憶部２のキャッシュに記憶される。
【００５７】
図２に示されているとおり、ステップＳ６では、返却情報照会部１０は、キャッシュに記憶されて保存された旅行商品に、目的地到着時刻を付け合わせる。上記のとおり検索された旅行商品は、ユーザー端末１４に送信される。
【００５８】
ステップＳ７では、ユーザー端末１４のブラウザに表示された旅行商品検索システム１００のＷｅｂページ上に、検索結果が表示される。
【００５９】
上記のとおり、旅行商品検索システム１００が構成されている。次に、旅行商品検索システム１００の効果を説明する。
【００６０】
上記したとおり、旅行商品検索システム１００によれば、検索対象期間取得部８は、検索条件である希望日までに目的地に到着する旅行商品を検索するために、検索条件に含まれた出発地と目的地との組み合わせに応じて、検索対象期間ＤＢ１３から検索対象期間を取得する。また、検索部９は、検索対象期間に含まれた日を出発地出発日とする旅行商品を検索する。例えば、出発地が東京、目的地がシドニー、希望日が２０１７年８月１０日、目的地出発日が２０１７年８月１５日であれば、検索対象期間ＤＢ１３において、検索対象期間は「当日および前日」であるため、希望日当日である２０１７年８月１０日、および、希望日の前日である２０１７年８月９日を出発地出発日とする旅行商品が検索される（図４参照）。したがって、ユーザーは、目的地到着日に基づいた検索をすることができる。換言すれば、ユーザーは、滞在期間に基づいた検索をすることができる。
【００６１】
また、上記の例であれば、目的地到着日が互いに異なる２０１７年８月９日から８月１０日までの旅行商品が検索される。したがって、柔軟に、目的地到着日や滞在期間に基づいた検索をすることができる。
【００６２】
旅行商品検索システム１００によれば、希望日を出発地出発日とする旅行商品が除かれて検索される。例えば、出発地が東京、目的地がサンパウロ、希望日が２０１７年８月５日、目的地出発日が２０１７年８月１５日であれば、検索対象期間ＤＢ１３において、検索対象期間は「前日および前々日」であるため、希望日の前日である２０１７年８月４日、および、希望日の前々日である２０１７年８月３日を出発地出発日とする旅行商品が検索される（図４参照）。すなわち、上記のように、比較的遠方を渡航先とする旅行商品の場合、希望日当日に目的地に到着することが困難であるため、予め希望日を除いた日を出発地出発日とする旅行品が検索される。したがって、効率よく目的地到着日や滞在期間に基づいた検索をすることができる。
【００６３】
旅行商品検索システム１００によれば、希望日を目的地到着日として検索するか、希望日を出発地出発日として検索するかが、ユーザーによって選択される。すなわち、希望日までに目的地に到着することが可能な旅行商品の検索に加えて、希望日に出発して目的地に到着することが可能な旅行商品の検索も可能である。したがって、ユーザーの用途に応じて二種類の検索を実行することができる。
【００６４】
以上、本発明の実施形態を詳述したが、本発明は上記実施形態に限定されるものではない。そして本発明は、特許請求の範囲に記載された事項を逸脱することがなければ、種々の設計変更を行うことが可能である。
【符号の説明】
【００６５】
１                  ＣＰＵ
２                  記憶部
３                  ＲＯＭ
４                  ＲＡＭ
５                  ＨＤＤ
６                  入力部
７                  検索アクション受信部
８                  検索対象期間取得部
９                  検索部
１０                返却情報照会部
１１                出力部
１２                仲介部
１３                検索対象期間ＤＢ（検索対象期間情報）
１４                ユーザー端末
１５                サプライヤ端末
１６                ＧＤＳ
１７                海外ダイナミックパッケージツアーＡＰＩ
１００              旅行商品検索システム
【図１】
2019082898.tif 000003
【図２】
2019082898.tif 000004
【図３】
2019082898.tif 000005
【図４】
2019082898.tif 000006
【図５】
2019082898.tif 000007
【手続補正書】
【提出日】平成31年3月7日(2019.3.7)
【手続補正２】
【補正対象書類名】明細書
【補正対象項目名】０００１
【補正方法】変更
【補正の内容】
【０００１】
本発明は、旅行商品を検索する際に用いられる旅行商品検索システム、旅行商品検索プログラムおよび記録媒体に関するものである。
【手続補正３】
【補正対象書類名】明細書
【補正対象項目名】０００５
【補正方法】変更
【補正の内容】
【０００５】
本発明は上記の実情に鑑みて提案されたものである。すなわち、目的地到着日時や滞在期間に基づいて旅行商品を検索することができる旅行商品検索システム、旅行商品検索プログラムおよび記録媒体の提供を目的とする。
【手続補正４】
【補正対象書類名】明細書
【補正対象項目名】００１４
【補正方法】変更
【補正の内容】
【００１４】
本発明に係る旅行商品検索方法は、旅行商品の購入を希望する購入者と、旅行商品を提供する提供者との予約購入取引を、ネットワークを通じて仲介する旅行商品検索方法において、往路の選定において購入者によって入力される希望日、出発地および目的地を、検索条件として受信する検索アクション受信手順と、出発地と目的地との組み合わせ毎に、検索の対象となる期間である検索対象期間が関連付けられて予め記憶された検索対象期間情報から、前記検索条件に含まれた出発地と目的地との組み合わせに応じて、前記検索対象期間を取得する検索対象期間取得手順と、前記希望日を基準とする前記検索対象期間を出発地出発日とする旅行商品を検索する検索手順と、を経る、ことを特徴とする。
【手続補正５】
【補正対象書類名】特許請求の範囲
【補正対象項目名】全文
【補正方法】変更
【補正の内容】
【特許請求の範囲】
【請求項１】
旅行商品の購入を希望する購入者と、旅行商品を提供する提供者との予約購入取引を、ネットワークを通じて仲介する旅行商品検索システムにおいて、
出発地と目的地との組み合わせ毎に、検索の対象となる期間である検索対象期間が関連付けられた検索対象期間情報が予め記憶され、
往路の選定において購入者によって入力された検索条件に含まれた希望日と異なる時または日を出発地出発日時とし、かつ、前記希望日以前を目的地到着日時とする旅行商品を検索する仲介部が備えられ、
前記仲介部が、前記検索条件に含まれた出発地と目的地との組み合わせに応じて、前記希望日を基準とする前記検索対象期間を、出発地出発日時とする旅行商品を検索する、
ことを特徴とする旅行商品検索システム。
【請求項２】
前記仲介部が、目的地到着日が互いに異なる複数の旅行商品を検索する、
ことを特徴とする請求項１に記載された旅行商品検索システム。
【請求項３】
前記仲介部が、前記希望日を出発地出発日とする旅行商品を除いて検索する、
ことを特徴とする請求項１または請求項２に記載された旅行商品検索システム。
【請求項４】
前記検索条件を受信する検索アクション受信部と、
前記検索条件に含まれた出発地と目的地との組み合わせに応じて、前記検索対象期間を前記検索対象期間情報から取得する検索対象期間取得部と、
前記希望日を基準とする前記検索対象期間を出発地出発日とする旅行商品を検索する検索部と、が備えられた、
ことを特徴とする請求項１から請求項３のいずれか１項に記載された旅行商品検索システム。
【請求項５】
旅行商品の購入を希望する購入者と、旅行商品を提供する提供者との予約購入取引を、ネットワークを通じて仲介する旅行商品検索システムにおいて、
出発地と目的地との組み合わせ毎に、検索の対象となる期間である検索対象期間が関連付けられた検索対象期間情報が予め記憶され、
往路の選定において購入者によって入力された検索条件に含まれた希望日と異なる時または日を出発地出発日時とし、かつ、前記希望日以前を目的地到着日時とする旅行商品の検索、または、前記希望日を出発地出発日時とする旅行商品の検索が、選択可能な仲介部が備えられ、
前記希望日と異なる時または日を出発地出発日時とし、かつ、前記希望日以前を目的地到着日時とする旅行商品の検索において、前記仲介部が、前記検索条件に含まれた出発地と目的地との組み合わせに応じて、前記希望日を基準とする前記検索対象期間を、出発地出発日時とする旅行商品を検索する、
ことを特徴とする旅行商品検索システム。
【請求項６】
旅行商品の購入を希望する購入者と、旅行商品を提供する提供者との予約購入取引を、コンピュータを介してネットワークを通じて仲介する旅行商品検索プログラムにおいて、
往路の選定において購入者によって入力される希望日、出発地および目的地を、検索条件として受信する検索アクション受信手順と、
出発地と目的地との組み合わせ毎に、検索の対象となる期間である検索対象期間が関連付けられて予め記憶された検索対象期間情報から、前記検索条件に含まれた出発地と目的地との組み合わせに応じて、前記検索対象期間を取得する検索対象期間取得手順と、
前記希望日を基準とする前記検索対象期間を出発地出発日時とすることで、前記希望日と異なる時または日を出発地出発日時とし、かつ、前記希望日以前を目的地到着日時とする旅行商品を検索する検索手順とを、コンピュータに実行させる、
ことを特徴とする旅行商品検索プログラム。
【請求項７】
請求項６に記載された旅行商品検索プログラムが記録された、
ことを特徴とするコンピュータで読み取り可能な記録媒体。